(57)【特許請求の範囲】
【請求項１】
流入口及び流出口を有する支持本体と、所定量の薬剤を計量する計量保持部を有する摺動体と、前記摺動体に装着された操作部材と、薬剤が貯留された薬剤タンクと、前記支持本体に取り付けられた接地部材と、を備えており、前記摺動体は、前記計量保持部が前記流入口に連通して前記薬剤タンクからの薬剤が前記計量保持部に流入する流入位置と、前記計量保持部が前記流出口に連通して前記計量保持部内の薬剤が流出される流出位置との間を上下方向に摺動自在に前記支持本体に装着され、前記摺動体を前記流入位置に向けて弾性的に付勢するための付勢部材が設けられており、前記接地部材を接地して前記操作部材を前記付勢部材の弾性力に抗して下方に押圧すると、前記摺動体が下方に移動して前記流入口と前記計量保持部との連通状態が解除された後に前記流出口と前記計量保持部とが連通状態となり、前記計量保持部にて計量された薬剤が前記流出口を通して流出されることを特徴とする薬剤散布器。
【請求項２】
前記操作部材の下端部は、前記摺動体の上端部に装着されて前記計量保持部の上面を規定し、前記操作部材の上下方向の位置を調整することによって、前記計量保持部の計量容積が調整されることを特徴とする請求項１に記載の薬剤散布器。
【請求項３】
前記操作部材の下端部は前記摺動体の上端部に螺合され、前記操作部材を回動することにより前記操作部材の上下方向の位置が調整されることを特徴とする請求項２に記載の薬剤散布器。
【請求項４】
前記流出口は、薬剤散布域近傍に配置された吐出口に連通し、前記計量保持部から前記流出口を通して流出された薬剤は前記吐出口から薬剤散布域に散布されることを特徴とする請求項１〜３のいずれかに記載の薬剤散布器。
【発明の詳細な説明】
【技術分野】
【０００１】  本発明は、野菜等の苗の植付前後に苗の株元に薬剤や肥料を散布するための薬剤散布器に関する。
【背景技術】
【０００２】  キャベツ、レタス等の野菜では、植付直前または直後に、その株元に薬剤を散布し、またトマト、ナスなど他の作物では生育途中に、株元に肥料を追肥として施用されている。このような薬剤散布器として、薬剤が収容される容器と、この容器と流通口を通して連通された筒体と、この流通口に配設された蓋と、筒体内に配設された栓と、蓋及び栓を開閉操作するためのレバーと、を備えたものが提案されている（例えば、特許文献１参照）。この薬剤散布器では、筒の上部、蓋及び栓により規定される空間が計量空間となるように構成されている。使用に際して空間レバーを開操作すると、蓋により流通口が閉状態になるとともに、栓が開状態になり、この計量空間により計量された薬剤が、筒体の排出口を通して排出される。
【先行技術文献】
【特許文献】
【０００３】
【特許文献１】  実開平６−２５公報
【発明の概要】
【発明が解決しようとする課題】
【０００４】  この従来の薬剤散布器では、次の通りの解決すべき問題がある。第１に、施用位置へ薬剤を散布するためには、手でレバー等の操作が必要になり、一つの工程に時間がかる。また手でレバー操作を行うには握力を要し、大きな負担となるために、操作が緩慢な場合や、操作途中で停止すると蓋や栓が半開きとなり、容器内の薬剤が垂れ流しの状態となるため、安定した薬液の散布ができない。【０００５】  第２に、摺動や回転などの駆動部が多くて機構が複雑になり、雨上がりや作物への散水直後の土壌水分が多いときに使用すると、これらの駆動部分に土壌が付着して作動不良の原因となり、また薬剤の落下口先端が直接土壌に触れる構造のために、薬剤落下筒の先端に土壌が付着した場合は、障害となって薬剤が安定して散布できない。【０００６】  第３に、薬剤の種類や作物の品種によっては薬剤の散布量により大きな影響が生じる場合があり、薬剤の料を微調整する必要があるが、従来の薬剤散布器では、薬剤の微量調整（換言すると、計量空間の容積の微調整）や、この計量空間の確実な微量の再現が困難であった。【０００７】  本発明の目的は、作動部を極力少なくし簡単な構造にするとともに、操作も体重を掛けるだけの単純な動作のみとし、また薬剤通路が土壌と直接触れることなく、常に安定した量の薬剤を散布域に的確に散布する薬剤散布器を提供することである。
【課題を解決するための手段】
【０００８】  本発明の請求項１に記載の薬剤散布器は、流入口及び流出口を有する支持本体と、所定量の薬剤を計量する計量保持部を有する摺動体と、前記摺動体に装着された操作部材と、薬剤が貯留された薬剤タンクと、前記支持本体に取り付けられた接地部材と、を備えており、前記摺動体は、前記計量保持部が前記流入口に連通して前記薬剤タンクからの薬剤が前記計量保持部に流入する流入位置と、前記計量保持部が前記流出口に連通して前記計量保持部内の薬剤が流出される流出位置との間を上下方向に摺動自在に前記支持本体に装着され、前記摺動体を前記流入位置に向けて弾性的に付勢するための付勢部材が設けられており、前記接地部材を接地して前記操作部材を前記付勢部材の弾性力に抗して下方に押圧すると、前記摺動体が下方に移動して前記流入口と前記計量保持部との連通状態が解除された後に前記流出口と前記計量保持部とが連通状態となり、前記計量保持部にて計量された薬剤が前記流出口を通して流出されることを特徴とする。【０００９】  また、本発明の請求項２に記載の薬剤散布器では、前記操作部材の下端部は、前記摺動体の上端部に装着されて前記計量保持部の上面を規定し、前記操作部材の上下方向の位置を調整することによって、前記計量保持部の計量容積が調整されることを特徴とする。【００１０】  また、本発明の請求項３に記載の薬剤散布器では、前記操作部材の下端部は前記摺動体の上端部に螺合され、前記操作部材を回動することにより前記操作部材の上下方向の位置が調整されることを特徴とする。【００１１】  更に、本発明の請求項４に記載の薬剤散布器では、前記流出口は、薬剤散布域近傍に配置された吐出口に連通し、前記計量保持部から前記流出口を通して流出された薬剤は前記吐出口から薬剤散布域に散布されることを特徴とする。
【発明の効果】
【００１２】  本発明の請求項１に記載の薬剤散布器によれば、接地部材を土壌に当てて薬剤散布域を決め、この状態にて操作部材を下方に押すだけの一工程で定量の薬剤を自動的に土壌表面（薬剤散布域）に散布することができるので、レバー操作などの付加工程を不要とし、短時間で多くの作物に薬剤を散布することができる。また、摺動体が下方に移動すると、流入口と計量保持部との連通状態が解除された後に流出口と計量保持部とが連通状態となるので、摺動体の計量保持部にて計量された薬剤が流出口を通して流出され、これによって所定量の薬剤を散布することができる。【００１３】  そして、次の薬剤散布域へ移動するために操作部材を持ち上げると、付勢部材の弾性力により摺動体は元の流入位置に復帰し、薬剤タンク内の薬剤が流入口を通して自動的に摺動体の計量保持部に流入されるため、比較的簡単な構造の薬剤散布器を提供することができ、またその操作も簡単かつ容易となる。【００１４】  また、本発明の請求項２に記載の薬剤散布器によれば、操作部材の上下方向の位置を調整することによって、計量保持部の計量容積を調整することができるので、計量容積を簡単に調整することができる。【００１５】  また、本発明の請求項３の薬剤散布器によれば、操作部材の下端部が摺動体に螺合されているので、操作部材を回動するという簡単な操作でもって計量保持部の計量容積を調整することができる。また、操作部材の装着を螺合方式としているので、操作部材の回動量に対するその下端部の上下方向の移動量が少なく、これによって、計量保持部の計量容積を微調整することができる。【００１６】  また、本発明の請求項４の薬剤散布器によれば、吐出口が薬剤散布域近傍に配置されているので、摺動体の計量保持部にて計量された薬剤を吐出口から薬剤散布域に向けて的確に散布することができる。
【図面の簡単な説明】
【００１７】
【図１】  薬剤散布器の一部を縦断面で示した正面全体図。
【図２】  薬剤散布器を示した側面図。
【図３】  操作部材を下方に押圧した状態を断面図。
【図４】  計量保持部及びその近傍を示す断面図。
【図５】  計量保持部の容積を調整した状態を示す断面図。
【図６】  薬剤散布器の使用例を示す参考図。
【発明を実施するための形態】
【００１８】  以下、添付図面を参照して、本発明に従う薬剤散布器の一実施形態を説明する。
【００１９】  図１〜図３において、図示の薬剤散布器は、流入口３１及び流出口３２を有する支持本体３と、所定量の薬剤Ｐを計量する計量保持部５１を有する摺動体５と、この摺動体５に装着された操作部材８と、薬剤Ｐが貯留された薬剤タンク１と、支持本体３に取り付けられた接地部材４４から構成されている。
【００２０】  薬剤を貯留するための薬剤タンク１の下部に連結管２が設けられ、この連結管２の一端部は薬剤タンク１に連通され、その他端部は、四角柱形状の支持本体３の上部の流入口３１に連通されている。この連結管２は、薬剤タンク１内の薬剤Ｐが容易に落下するように傾斜をつけて支持本体３に接続され、この支持本体３を貫通した流入口３１の上端部と接合されている。支持本体３の下部には、流入口３１の開口部と同一面に流出口３２が設けられ、この流出口３２の下端部より案内管４が接続されている。
【００２１】  案内管４は、長手方向の略中央部にて外側に傾斜しており、この傾斜した先端部に吐出口４３が設けられている。案内管４の傾斜する側とは反対側には、接地部材４４が設けられている。この接地部材４４は、支持本体３に取り付けられ、下方直線状に延びている。この接地部材４４は、その先端に設けられた接地板４１を有し、この接地板４１が地面（例えば、土壌）に接地される。接地部材４４は、接地板４１が地面（土壌）に接したときに吐出口４３が土壌に接しない長さに設定され、接地板４１と吐出口４３の間に距離を置くことにより、接地板４１が作物に接触しない構造とする。この形態では、接地部材４４の中間部位には、付勢部材７の下端側を受けるための下側の付勢部材受具４２が設けられている。この下側の付勢部材部材４２は、支持本体３に設けるようにしてもよい。
【００２２】  摺動体５は四角柱形状であり、上端部には操作部材８の調量体１２の調量ネジ１２２に螺合する内ネジ及びピン止め穴９が設けられている。この摺動体５には、さらに、内ネジと連通し、かつ充填された薬剤Ｐが容易に落下するために下端部に傾斜を設けた計量保持部５１が設けられ、その下端部には、付勢部材７の上端側を受けるための上側の付勢部材受部５２が設けられている。この上側の付勢部材受部５２と上述の下側の付勢部材受部４２との間に付勢部材７（例えば、コイルバネから構成される）が介在され、この付勢部材７は、摺動体５を上方に向けて弾性的に偏倚する。
【００２３】  図４及び図５をも参照して、操作部材８は、中空のパイプ材を使用することにより軽量となり、上端部は略水平に片手で握りやすい形状とし、作業者が片手で把持する握手部位と摺動体５及び接地板４１とが、実質上垂直に一直線状に保つように湾曲部を設けるのが好ましい。この操作部材８の下端部は、垂直に調量体１２が装着され、調量体１２の上端部にピン長穴１２１が設けられ、その下部には調量ネジ１２２が設けられている。この調量体１２の調量ネジ１２２は、摺動体５の操作部材取付内ネジと螺合され、摺動体１２のピン止め穴９と調量体１２のピン止め穴１２１と通してピン１３が挿通され、これによって、摺動体５と操作部材８の相対的回転を阻止する。尚、この実施形態では、操作部材８の下端部に調量体１２を設けているが、この操作部材８を中実の棒材を使用する場合、或いはパイプ材の下端部を閉塞部材により閉塞した場合、この調量体１２を省略することができる。
【００２４】  支持本体３は、さらに、コ字状の金具６を含み、この金具６の両端部は、止めネジ１１を支持本体３の止めネジ穴３３に螺着することによって、支持本体３に固定され、この金具６と支持本体３との間に摺動体５が上下方向に摺動自在に装着される。コ字状の金具６（具体的には、摺動体５側の側部）にストッパー長穴６１が設けられ、また摺動体５にストッパーピン１０が設けられ、このストッパーピン１０がストッパー長穴６１内に受け入れられている。
【００２５】  このように構成されているので、ストッパーピン１０は、摺動体５の上下の摺動範囲を規制し、ストッパーピン１０がストッパー長穴６１の上端部に当接する状態（図１及び図２に示す状態）においては、摺動体５は上方に移動した流入位置に保持され、この流入位置においては、図１に示すように、摺動体５の計量保持部５１が支持本体３の流入口３１と合って連通状態となり、薬剤タンク１からの薬剤Ｐがこの流入口３１を通して摺動体５の薬剤保持部５１に流入する（このとき、計量保持部５１は、支持本体３の流出口３２に連通することはない）。また、ストッパーピン１０がストッパー長穴６１の下端部に当接する状態（図３に示す状態）においては、摺動体５は下方に移動した流出位置に保持され、この流出位置においては、図３に示すように、摺動体５の計量保持部５１が支持本体３の流出口３２と向き合って連通状態となり、摺動体５の計量保持部５１にて計量された薬剤Ｐがこの流出口３２を通して案内管４内に流出される。
【００２６】  案内管４の付勢部材受具４２と摺動体５の付勢部材受部５２との間に介在された付勢部材７は、この摺動体５を上方に上記流入位置に向けて弾性的に偏倚し、従って、この摺動体５は、通常の状態において、付勢部材７の弾性作用によって上記流入位置に保持され、薬剤タンク１内の薬剤Ｐは、支持本体３の流入口３１を通して摺動体５の計量保持部５１に流入される。
【００２７】  支持本体３の上部に設けた流入口３１（具体的には、流入口３１の下端）とその下部に設けた流出口３２（具体的には、流出口３２の上端）との距離は、摺動体５に設けた計量保持部５１の開口部の上下方向の長さより長くなるように設定され、このような距離に設定することによって、摺動体５が上記流入位置から上記流出位置に移動する際に、摺動体５の計量保持部５１が支持本体３の流入口３１に連通した状態から、この計量保持部５１が支持本体３の流出口３２に連通した状態になるまでの間に、この計量保持部５１が流入口３１及び流出口３２の双方に同時に連通した状態になることなく、これら流入口３１及び流出口３２の双方に対して密閉された状態に保たれ、このように構成することによって、計量保持部５１により所定量の薬剤Ｐを正確に計量することができる。
【００２８】  この薬剤散布器を使用するには、操作部材８の上端部（把持部位）を片手で持ち、薬剤散布域近傍に案内管４の吐出口４３を誘導し、接地板４１を土面に接地させる。そして、このような状態にて操作部材８を付勢部材７の偏倚作用に抗して下方に押し下げる。かくすると、支持本体３に対して摺動体５が上記流入位置（ストッパーピン１０が支持本体３（コ字状の金具６）のストッパー長穴６１の上端部に当接する位置）から上記流出位置（ストッパーピン１０が支持本体３（コ字状の金具６）のストッパー長穴６１の下端部に当接する位置）に下方に移動し、この下方への移動の際に、薬剤タンク１からの薬剤Ｐが、摺動体５の計量保持部５１により計量され、かく計量された薬剤Ｐが、計量保持部５１から支持本体３の流出口３２を通して案内管４に流出し、かくして、この薬剤Ｐを案内管４を通してその吐出口４３から所望の薬剤散布域近傍に散布することができる。
【００２９】  薬剤Ｐの散布後に薬剤散布器（具体的には、操作部材８）を持ち上げると、付勢部材７の作用により摺動体５が上方に摺動して上記流入位置に保持され（摺動体５のストッパーピン１０が支持本体３（コ字状の金具６）のストッパー長穴６１の上端部に当接することによりこの流入位置に保持される）、支持本体３の流入口３１と摺動体５の計量保持部５１とが連通状態となり、薬剤タンク１内の薬剤Ｐが連結管２を通してこの計量保持部５１に充填される。つまり、この薬剤散布器の操作部材８を持ち、薬剤散布器の最下部にある接地板４１を土壌に押し当て、このような状態で操作部材８を下方に押し下げることにより、摺動体５の計量保持部５１にて計量された一定量の薬剤Ｐを常に散布することができる。
【００３０】  薬剤の散布量の調量は、摺動体５の計量保持部５１の容積を予め設定することにより行う。この形態では、計量保持部５１の一側面（図４において左面）は、支持本体３により規定され、残りの三側面及び底面は、摺動体５により規定され、その上面は調量体１２の下面により規定されている。従って、操作部材８を締付け方向（又は緩み方向）に回動すると、操作部材８とともに調量体１２が締付け方向（又は緩み方向）に回動して下方に（又は上方）に移動し、かく下方（又は上方）に移動することによって、図４及び図５から理解されるように、計量保持部５１の容積が小さく（又は大きく）なり、このようにして計量保持部５１の容積を変えて散布量の調量を行うことができる。
【００３１】  薬剤の種類、散布量と調量ネジ１２２のネジピッチにより、予め操作部材８の回転した回数を測定すると、容易に散布量の調整が行えるとともに、ネジピッチにより容積が変動するため、計量精度が安定する。
【００３２】  調量体１２の上部に設けたピン長穴１２１と摺動体５の上部に設けたピン止め穴９とに、ピン１３を貫通させて固定することにより、操作部材８の相対的回転を阻止して固定保持することができる。
【００３３】  以上、本発明に従う薬剤散布器の一実施形態について説明したが、本発明はかかる実施形態に限定されるものではなく、本発明の範囲を逸脱することなく種々の変更乃至修正が可能である。
【００３４】  例えば、上述した実施形態では、支持本体３にコ字状の金具６を設けて支持本体３とコ字状の金具６との間に摺動体５を摺動自在に装着しているが、例えば支持本体３に上下方向に延びる貫通開口を設け、かかる貫通開口に摺動体５を摺動自在に装着するようにしてもよい。
【符号の説明】
【００３５】１・・・薬剤タンク
２・・・連結管
３・・・支持本体
３１・・流入口
３２・・流出口
３３・・止めネジ穴
４・・・案内管
４１・・接地板
４２・・付勢部材受具
４３・・吐出口
４４・・接地部材
５・・・摺動体
５１・・計量保持部
５２・・付勢部材受部
６・・・コの字金具
６１・・ストッパー長穴
７・・・付勢部材
８・・・操作部材
９・・・ピン止め穴
１０・・・ストッパーピン
１１・・・止めネジ
１２・・・調量体
１２１・・ピン長穴
１２２・・調量ネジ
１３・・・ピン
Ｐ・・・薬剤
【図１】
0005789841.tif 000002
【図２】
0005789841.tif 000003
【図３】
0005789841.tif 000004
【図４】
0005789841.tif 000005
【図５】
0005789841.tif 000006
【図６】
0005789841.tif 000007